(57)【要約】【課題】  複数の無線端末装置間でデータパケットを転送する無線通信システムにおける音声同報通話において、着信無線端末装置で十分な音声品質を得る。【解決手段】  無線端末装置が処理するデータパケットが、音声情報を含む音声パケットであるか否かを判別する音声パケット判別部１１ａと、音声パケットである判別された音声パケットを音声パケットではないデータパケットよりも優先的に処理する音声パケット優先処理部１１ｂとを無線端末装置に備える。【選択図】  図９
2009105750.tif 000002
【特許請求の範囲】
【請求項１】
複数の無線端末装置によってデータパケットを転送し、単一周波数を使用して送出およ
び受信を行う無線通信ネットワークシステム内に備えられた無線端末装置であって、
データパケットが音声情報を含む音声パケットであるか否かを判別する音声パケット判
別手段と、
前記音声パケット判別手段によって判別された前記音声パケットであると判別されたデ
ータパケットを、音声情報を含まないデータパケットよりも優先的に処理する音声パケッ
ト優先処理手段と
を有することを特徴とする無線端末装置。
【請求項２】
音声パケットを送信する送信元無線端末装置から宛先である着信無線端末装置までの経
路のうち、音声パケットを送出する前記無線端末装置から少なくとも１区間のメトリック
値を取得するメトリック値取得手段と、
前記メトリック値取得手段によって取得されたメトリック値を記憶する記憶手段とをさ
らに有し、
前記音声パケット優先処理手段は、前記音声パケットの中から、前記記憶手段に記憶さ
れたメトリック値を参照して優先度を決定する優先度決定手段と、
前記優先度決定手段によって決定された優先度を、前記音声パケットに付加する優先度
付加手段と
をさらに有することを特徴とする請求項１に記載の無線端末装置。
【請求項３】
外部から優先度を入力する入力手段と、
外部から宛先を指定する宛先指定手段と、
前記宛先指定手段によって指定された宛先へ送信する前記音声パケットに、前記入力手
段によって入力された前記優先度を付加する優先度付加手段と
をさらに有することを特徴とする請求項１に記載の無線端末装置。
【請求項４】
前記音声パケットに付加された優先度を判別する優先度判別手段をさらに有し、
前記音声パケット優先処理手段は、前記優先度判別手段によって判別された優先度に応
じて音声パケットの送出制御をする手段を有することを特徴とする請求項２または請求項
３に記載の無線端末装置。
【請求項５】
音声パケットを送信する送信元無線端末装置から宛先である着信無線端末装置までの経
路のうち、音声パケットを送出する前記無線端末装置から少なくとも１区間のメトリック
値を取得するメトリック値取得手段と、
前記メトリック値取得手段によって取得されたメトリック値を記憶する記憶手段と、
前記記憶手段に記憶された前記メトリック値を参照して前記音声パケットのデータ圧縮
率を決定するデータ圧縮率決定手段と、
前記データ圧縮決定手段によって決定された前記データ圧縮率に音声パケットを圧縮す
る圧縮手段と、
前記圧縮手段によって圧縮された前記音声パケットを送信する手段と
をさらに有することを特徴とする請求項１に記載の無線端末装置。
【請求項６】
前記メトリック値取得手段は、
前記メトリック値が転送ホップ数である場合、返信要求情報と前記転送ホップ数をカウ
ントする転送ホップ数カウンタとを含むテストパケットを送信する手段を有することを特
徴とする請求項２または請求項５に記載の無線端末装置。
【請求項７】
前記メトリック値取得手段は、
前記メトリック値が前記音声パケットを送出する前記無線端末装置から宛先である着信
無線端末装置までの、少なくとも前記音声パケットを送出する前記無線端末装置から１つ
の区間のリンク品質である場合、取得する区間のリンク品質を、前記音声パケットを有す
る前記無線端末装置に通知することを要求する手段を有することを特徴とする請求項２ま
たは請求項５に記載の無線端末装置。
【請求項８】
複数の無線端末装置によってデータパケットを転送し、単一周波数を使用して送出およ
び受信を行う無線通信ネットワークシステム内に備えられた無線端末装置用プログラムで
あって、
データパケットが音声情報を含む音声パケットであるか否かを判別する音声パケット判
別機能と、
前記音声パケット判別機能によって前記音声パケットであると判別されたデータパケッ
トを、音声情報を含まないデータパケットよりも優先的に処理する音声パケット優先処理
機能と
を有することを特徴とする無線端末装置用プログラム。
【請求項９】
音声パケットを送信する送信元無線端末装置から宛先である前記無線端末装置までの経
路のうち、音声パケットを送出する前記無線端末装置から少なくとも１区間のメトリック
値を取得するメトリック値取得機能と、
前記メトリック値取得機能によって取得されたメトリック値を記憶する記憶機能と、
前記記憶機能に記憶されたメトリック値を参照して前記音声パケットの優先度を決定す
る優先度決定機能と、
前記優先度決定機能によって決定された優先度を、前記音声パケットに付加する優先度
付加機能と
をさらに有することを特徴とする請求項９に記載の無線端末装置用プログラム。
【請求項１０】
外部から優先度を入力する入力機能と、
外部から宛先を指定する宛先指定機能と、
前記宛先指定機能によって指定された宛先へ送信する前記音声パケットに、前記入力手
段によって入力された前記優先度を付加する優先度付加機能と
をさらに有することを特徴とする請求項８に記載の無線端末装置用プログラム。
【請求項１１】
前記音声パケットには優先度を示すデータが含まれ、前記音声パケットの前記優先度を
判別する優先度判別機能をさらに有し、
前記音声パケット優先機能は、前記優先度判別機能によって判別された前記優先度に応
じて音声パケットの送出制御をする機能をさらに有することを特徴とする請求項９または
請求項１０に記載の無線端末装置用プログラム。
【請求項１２】
音声パケットを送信する送信元無線端末装置から宛先である前記無線端末装置までの経
路のうち、前記音声パケットを送出する前記無線端末装置から少なくとも１区間のメトリ
ック値を取得するメトリック値取得手段と、
前記メトリック値取得手段によって取得された前記メトリック値を記憶する記憶機能と
、
前記記憶機能に記憶された前記メトリック値を参照して前記音声パケットのデータ圧縮
率を決定する上限サイズ決定機能と、
前記データ圧縮率決定機能によって決定された前記データ圧縮率に前記音声パケットを
圧縮する圧縮機能と、
前記圧縮機能によって圧縮された前記音声パケットを送信する機能と
をさらに有することを特徴とする請求項９に記載の無線端末装置用プログラム。
【請求項１３】
複数の無線端末装置によってデータパケットを転送し、単一周波数を使用して送出およ
び受信を行う無線通信ネットワークシステム無線通信ネットワークシステムであって、
前記夫々の無線端末装置は、データパケットが音声情報を含む音声パケットであるか否
かを判別する音声パケット判別手段と、
前記音声パケット判別手段によって判別された前記音声パケットであると判別されたデ
ータパケットを、音声情報を含まないデータパケットよりも優先的に処理する音声パケッ
ト優先処理手段と
を有することを特徴とする無線通信ネットワークシステム。
【請求項１４】
音声パケットを送信する送信元無線端末装置には自らの無線端末装置から宛先である着
信無線端末装置までの経路のうち、音声パケットを送出する前記無線端末から少なくとも
１区間のメトリック値を取得するメトリック値取得手段と、
前記メトリック値取得手段によって取得されたメトリック値を記憶する記憶手段と、
前記記憶手段に記憶されたメトリック値を参照して優先度を決定する優先度決定手段と
、
前記優先度決定手段によって決定された優先度を、前記音声パケットに付加する優先度
付加手段と
をさらに有することを特徴とする請求項１３に記載の無線通信ネットワークシステム。
【請求項１５】
前記音声パケットを送信する送信元無線端末装置には、
外部から前記無線端末装置へ優先度を入力する入力手段と、
前記無線端末装置の外部から宛先を指定する宛先指定手段と、
前記宛先指定手段によって指定された宛先へ送信する前記音声パケットに、前記入力手
段によって入力された前記優先度を付加する優先度付加手段と
をさらに有することを特徴とする請求項１３に記載の無線通信ネットワークシステム。
【請求項１６】
前記データパケットを送出する無線端末装置には、前記音声パケットの前記優先度を判
別する優先度判別手段をさらに有し、
前記音声パケット優先処理手段は、前記優先度判別手段によって判別された前記優先度
に応じて音声パケットの送出制御をする手段をさらに有することを特徴とする請求項１４
または請求項１５に記載の無線通信ネットワークシステム。
【請求項１７】
音声パケットを送信する送信元無線端末装置には、
自らの無線端末装置から宛先である着信無線端末装置までの経路のうち、前記音声パケ
ットを送出する前記無線端末装置から少なくとも１区間のメトリック値を取得するメトリ
ック値取得手段と、
前記メトリック値取得手段によって取得された前記メトリック値を記憶する記憶手段と
、
音声情報を含まないデータパケットよりも優先的に処理される前記音声パケットのうち
、前記記憶手段に記憶された前記メトリック値を参照して前記音声パケットのデータ圧縮
率を決定するデータ圧縮率決定手段と、
前記データ圧縮率決定手段によって決定された前記データ圧縮率に前記音声パケットを
圧縮する圧縮手段と、
前記圧縮手段によって圧縮された前記音声パケットを送信する手段と
をさらに有することを特徴とする請求項１３に記載の無線通信ネットワークシステム。
【発明の詳細な説明】
【技術分野】
【０００１】
本発明は、無線基地局装置を介さずに、単一周波数を用いて無線端末装置間でデータパ
ケットを転送するアドホック無線ネットワークシステムにおける無線端末装置、無線端末
装置用プログラム、および無線通信ネットワークシステムに関する。
【背景技術】
【０００２】
無線通信システムにおいて、無線基地局装置を介さずに無線端末装置に無線基地局装置
の役割を持たせ、無線端末装置を経由してデータパケットを順次転送して通信を行うアド
ホック無線ネットワークシステムがある。このアドホック無線ネットワークシステムは、
無線基地局装置を介さずに通話できることから、大規模災害地域やイベント会場等の無線
基地局装置が無い、または無線基地局装置が機能しない状況下において有効な技術である
。上記の状況下では、指示者から複数の作業者に命令伝達を行う手段として、アドホック
無線ネットワークシステムを用いた音声同報通話が特に有効である。
【０００３】
音声同報通話を行う無線端末装置は、一般的に単一周波数チャネルを使用したマルチホ
ップ式の伝送方式であるため、１つの無線端末装置がパケットを送信している間は、その
他の無線端末装置は送信できないという特徴がある。また、同報で送信するため、遠方の
無線端末装置への着信に遅延が発生する。
【０００４】
そのため、従来の無線端末装置は、ホップ数が多い端末へのデータ送信を優先するなど
、ホップ数が多い端末へ送信する際のデータの圧縮率を高める工夫を行っている（例えば
特許文献１）。
【特許文献１】特開２００３−２７３７８８号公報
【発明の開示】
【発明が解決しようとする課題】
【０００５】
しかしながら、上記の従来技術では、送信されたパケットは音声情報ではない他のデー
タパケットと共にバッファに蓄積される。蓄積されたデータパケットは自らの無線端末装
置で再生されたり他の無線端末装置に転送されたりする。しかしながら、着信するデータ
パケットに対して、再生や転送のパケットが少ないとバッファが飽和するのを防ぐために
、バッファではパケット破棄を行う。
【０００６】
そのため、無線端末装置を経由して音声パケットを転送するアドホック無線ネットワー
クシステムでは、中継するごとに音声パケットの一部または全部が破棄され、宛先到着後
に十分な品質の音声が再生できなくなるという問題がある。
【０００７】
本発明は、上記問題点を解決するためになされたもので、着信無線端末装置で十分な品
質の音声が得られる無線端末装置、無線端末装置用プログラム、および無線通信ネットワ
ークシステムを提供することを目的とする。
【課題を解決するための手段】
【０００８】
上記目的を達成するために、本発明による無線端末装置は、複数の無線端末装置によっ
てデータパケットを転送し、単一周波数を使用して送出および受信を行う無線通信ネット
ワークシステム内に備えられた無線端末装置であって、データパケットが音声情報を含む
音声パケットであるか否かを判別する音声パケット判別手段と、前記音声パケット判別手
段によって判別された前記音声パケットであると判別されたデータパケットを、音声情報
を含まないデータパケットよりも優先的に処理する音声パケット優先処理手段とを有する
ことを特徴としている。
【０００９】
また、上記目的を達成するために、本発明による無線端末装置用プログラムは、複数の
無線端末装置によってデータパケットを転送し、単一周波数を使用して送出および受信を
行う無線通信ネットワークシステム内に備えられた無線端末装置用プログラムであって、
データパケットが音声情報を含む音声パケットであるか否かを判別する音声パケット判別
機能と、前記音声パケット判別機能によって前記音声パケットであると判別されたデータ
パケットを、音声情報を含まないデータパケットよりも優先的に処理する音声パケット優
先処理機能とを有することを特徴としている。
【００１０】
また、上記目的を達成するために、本発明による無線通信ネットワークシステムは、複
数の無線端末装置によってデータパケットを転送し、単一周波数を使用して送出および受
信を行う無線通信ネットワークシステムであって、前記夫々の無線端末装置は、データパ
ケットが音声情報を含む音声パケットであるか否かを判別する音声パケット判別手段と、
前記音声パケット判別手段によって判別された前記音声パケットであると判別されたデー
タパケットを、音声情報を含まないデータパケットよりも優先的に処理する音声パケット
優先処理手段とを有することを特徴とすることを特徴としている。
【発明の効果】
【００１１】
本発明によれば、着信無線端末装置で十分な品質の音声が得られる無線端末装置、無線
端末装置用プログラム、および無線通信ネットワークシステムを提供することができる。
【発明を実施するための最良の形態】
【００１２】
以下、本発明の実施例を図面を参照して説明する。
【実施例１】
【００１３】
図１は、この発明に関わるアドホック無線ネットワークの一実施の形態を示すシステム
図である。このシステムは、複数の無線端末装置Ｔ１〜Ｔ６が無線で通信できるように組
合わされてアドホック無線ネットワークを形成している。無線端末装置Ｔ１〜Ｔ６間の通
信経路は両方向の矢印により示される。この通信経路は固定的ではなく、時間の経過、お
よび個々の無線端末装置Ｔ１〜Ｔ６の移動に応じて更新設定される。このネットワークで
は、データパケットがその送信元から宛先まで１つまたは複数の無線端末装置を経由する
マルチホップ転送が行われる。
【００１４】
図２は、上記アドホック無線ネットワークを形成する無線端末装置の外観図である。無
線端末装置Ｔは、無線で通信するためのアンテナ１と、音声を出力するスピーカ２と、文
字または映像を表示するための液晶ディスプレイや有機ＥＬディスプレイなどで形成され
た表示部３と、宛先や音声パケットの優先度等の情報を入力する入力ボタン４と、音声情
報を入力する送話口５とを有する。
【００１５】
図３は、無線端末装置Ｔの機能構成図である。無線端末装置Ｔは、インターフェース１
０とＣＰＵ１１とメモリ１２とを有する。
【００１６】
インターフェース１０には、アンテナ１からデータパケットの送出を行う送出部１０ａ
および着信を行う着信部１０ｂ、入力ボタン４や送話口５から情報の入力を行う入力部１
０ｃ、スピーカ２や表示部３から情報を出力する出力部１０ｄを有する。なお、ここで、
送出部１０ａの送出とは、送信と転送を含めて指す用語でデータを送り出すということを
意味する。また、送信は送信元から宛先を指定して送出すること、転送は、受け取ったデ
ータパケットに含まれる宛先情報に従って送出することを意味する。
【００１７】
ＣＰＵ１１には、音声パケット判別部１１ａ、音声パケット優先処理部１１ｂ、優先度
判別部１１ｃ、メトリック値取得部１１ｄ、優先度決定部１１ｅ、伝送レート決定部１１
ｆ、圧縮処理部１１ｇ、宛先指定部１１ｈ、データパケット生成部１１ｉを有する。
【００１８】
音声パケット判別部１１ａは、無線端末装置Ｔが処理するデータパケットが音声データ
を含むか否かを判別するものである。音声パケット優先処理部１１ｂは、音声パケット判
別部１１ａで音声データを含むデータパケットであると判別された音声パケットを、音声
データを含まないデータパケットよりも優先的に処理するものである。また、優先度判別
部１１ｃは、音声パケットに付加された優先度を判別する。メトリック値取得部１１ｄは
、宛先の無線端末装置までの転送ホップ数や、宛先の無線端末装置または転送先の無線端
末装置までのリンク品質などの経路情報を含むメトリック値を取得するものである。
【００１９】
優先度決定部１１ｅはメトリック値によって優先度を決定するものである。伝送レート
決定部１１ｆは送信する音声パケットのデータ圧縮率をメトリック値によって決定するも
のである。ここでは、データ圧縮率の一例としてデータ圧縮率を伝送レートを用いて表記
することとする。圧縮処理部１１ｇは伝送レート決定部１１ｆによって決定された伝送レ
ートに応じて音声パケットを圧縮するものである。この圧縮処理部１１ｇが備える圧縮方
式は、例えばＡＣＥＬＰ、ＡＤＰＣＭ、ＰＣＭなど複数であり、伝送レートに応じてこれ
らの圧縮方式を選択して圧縮する。
【００２０】
宛先指定部１１ｈは送信データを入力する際に、ユーザが送信する宛先を指定するもの
である。さらに、データパケット生成部１１ｉは、送信するデータをパケット化してデー
タパケットを生成するものである。
【００２１】
メモリ１２には、無線端末装置Ｔがメトリック値取得部１１ｄで取得したメトリック値
１２ａ、このメトリック値１２ａによって決定する優先度をメトリック値１２ａに対応付
けて管理する優先度管理データ１２ｂ、およびメトリック値１２ａに対応して決定される
音声パケットの伝送レートをメトリック値１２ａに対応付けて管理する伝送レート管理デ
ータ１２ｃを記憶している。
【００２２】
次に、メトリック値取得部１１ｄが行うメトリック値１２ａの取得について、図４乃至
図６を参照して説明する。メトリック値１２ａとは、無線通信ネットワークシステムの転
送経路におけるリンク品質や転送ホップ数などの経路情報のことである。この例では、メ
トリック値が転送ホップ数およびリンク品質の場合について記載する。
【００２３】
図４は、送信元から宛先までの転送ホップ数および送信元から宛先までのリンク品質を
取得する場合のブロック図であり、図５は、送信元から宛先までの転送ホップ数および送
信元から宛先までのリンク品質を取得する手順を示すシーケンス図である。
【００２４】
図４の場合、送信元無線端末装置がＴａであり、宛先の無線端末装置はＴｄおよびＴｅ
の例を示す。まず、宛先を無線端末装置Ｔｄおよび無線端末装置Ｔｅと指定する（Ｓ１０
１）。次に送信元である無線端末装置Ｔａは、宛先が無線端末装置Ｔｄであるテストパケ
ットと宛先が無線端末装置Ｔｅであるテストパケットとを送信する（Ｓ１０２）。
【００２５】
このテストパケットは、図６に示すように、転送ホップ数をカウントするカウンタが付
加されており、このカウンタは転送の度にカウントアップしていく。このカウンタの値は
、図５中に括弧書きで示されている。このテストパケットには、テストパケットが宛先に
着信されるとこのテストパケットを送信元まで返信することを要求する情報を含む（図に
記載なし）。また、図６のテストパケットには、無線端末装置を経由すると、宛先までに
経由した無線端末装置の情報とそのリンク品質を書き込み保持する（以下、テストパケッ
トの更新と表記する）。
【００２６】
宛先が無線端末装置Ｔｄであるテストパケット（白抜き線で示す）は、無線端末装置Ｔ
ｂへ到着すると無線端末装置Ｔｂを経由したことを示す経路情報と、無線端末装置Ｔａ、
Ｔｂ間の経路のリンク品質について更新される（Ｓ１０３）。その後、無線端末装置Ｔｂ
から無線端末装置Ｔｃへ転送され（Ｓ１０４）、テストパケットが更新される（Ｓ１０６
）。そして、無線端末装置Ｔｃから無線端末装置Ｔｄへ転送される（Ｓ１０８）と、同様
にテストパケットが更新される（Ｓ１１０）。無線端末装置Ｔｄへ着信すると、テストパ
ケットは、テストパケットに書き込まれた転送ホップ数のカウント値、無線端末装置の経
路情報、およびリンク品質情報を保持したまま送信元へ返信される（Ｓ１１１、Ｓ１１３
、Ｓ１１４）。
【００２７】
一方、宛先が無線端末装置Ｔｅであるテストパケット（黒塗り線で示す）は、無線端末
装置Ｔｂへ到着すると無線端末装置Ｔｂを経由したことを示す経路情報と無線端末装置Ｔ
ａ、Ｔｂ間の経路のリンク品質について更新される（Ｓ１０３）。次に、テストパケット
が無線端末装置Ｔｂから無線端末装置Ｔｅへ転送されると（Ｓ１０５）、さらにテストパ
ケットは更新される（Ｓ１０７）。無線端末装置Ｔｅへ着信すると、テストパケットは、
テストパケットに書き込まれた転送ホップ数のカウント値、無線端末装置の経路情報、お
よびリンク品質情報を保持したまま送信元へ返信される（Ｓ１０９、Ｓ１１２）。
【００２８】
テストパケットが送信元まで返信されると、テストパケットの転送ホップ数のカウント
値を参照して転送ホップ数を取得するとともに、テストパケットの各無線端末装置間のリ
ンク品質情報を集計することによって送信元から宛先までのリンク品質を取得する（Ｓ１
１５）。取得した転送ホップ数およびリンク品質情報がメトリック値１２ａであり、この
メトリック知１２ａは無線端末装置Ｔに備えられたメモリ１２に記憶される。
【００２９】
次に、データパケットのデータ構造の一例について図７を参照して説明する。データパ
ケットは、ＭＡＣヘッダＤ１、ＩＰヘッダＤ２、ＵＤＰヘッダＤ３、ＲＴＰヘッダＤ４、
およびデータＤ５を有している。ＲＴＰヘッダＤ４には、データパケットが音声パケット
であることを示す情報Ｄ４１とパケット化に使用したデータ圧縮方式の情報Ｄ４２と後に
詳述する優先度を示す情報Ｄ４３とが含まれており、このＲＴＰヘッダＤ４を参照するこ
とによって、データパケットが音声パケットであるか否かを判断する。
【００３０】
次に、データパケットの送信に先立って行うデータパケットの作成について図８を参照
して説明する。送信するデータが入力部１０ｃから無線端末装置Ｔへ入力される（Ｆ１０
１）。その送信するデータにユーザが優先度を設定するか否かを表示部３に表示し（Ｆ１
０２）、ユーザが優先度を設定するならば、優先度が入力ボタン４から入力される（Ｆ１
０３）。そして、データパケット生成部１１ｉは、入力されたデータをパケット化してデ
ータパケットを生成する（Ｆ１０４）。その際、使用したデータ圧縮方式の情報は、ＲＴ
ＰヘッダＤ４の中のＤ４２に付加される。また、そのパケット化したデータのＲＴＰヘッ
ダＤ４の中の情報Ｄ４３にユーザが設定した優先度を付加する（Ｆ１０５）。手順Ｆ１０
２においてユーザが優先度を設定しないならば、手順Ｆ１０６へ進みデータをパケット化
する。
【００３１】
次に、パケット化されたデータパケットの送出（送信、転送）および着信の処理につい
て図９乃至図１２を参照して説明する。
【００３２】
図９は、送出および着信の全ての機能を有する無線端末装置においての送出および着信
の処理の全体を表すフローチャートである。
【００３３】
まず、無線端末装置Ｔに音声パケットがあるか否かを判別する（Ｆ２０１）。データパ
ケットが音声パケットであるか否かの判別は、データパケットのＲＴＰヘッダＤ４内の情
報Ｄ４１を参照して行う。手順Ｆ２０１で音声パケットがない場合は、手順Ｆ２０２に進
み音声パケット以外のデータパケットの処理を行う。手順Ｆ２０１において音声パケット
があれば、処理する音声パケットが送信データであるか否かを判別する（Ｆ２０３）。送
信データである場合は、手順Ｆ２０４に進み後述する送信処理を行う。手順Ｆ２０３にお
いて送信データではないと判別された場合は手順Ｆ２０５へ進む。
【００３４】
手順Ｆ２０５では、自らの無線端末装置宛てのデータであるか否かを判別する。自らの
無線端末装置宛ての音声パケットではない場合は、手順Ｆ２０６へ進み後述する転送処理
を行う。手順Ｆ２０５において自らの無線端末装置宛ての音声パケットであると判別され
た場合は手順Ｆ２０７へ進む。手順Ｆ２０５で自らの無線端末装置宛ての音声パケットで
あると判別された場合、無線端末装置は音声パケットの着信処理を行う（Ｆ２０７）。こ
の着信処理は、着信した音声パケットの再生のために、データパケットのＲＴＰヘッダＤ
４内のデータ圧縮方式情報Ｄ４２を参照して再生する。
【００３５】
手順Ｆ２０２、手順Ｆ２０４、手順Ｆ２０６、および手順２０７の処理後は、開始手順
に戻る。
【００３６】
このように、データパケットが音声パケットであるか否かを判別して音声パケットであ
ると判別されたデータパケットは音声情報を含まないデータパケットよりも優先的に処理
するようになっている。
【００３７】
ここで、送信処理Ｆ２０４および転送処理Ｆ２０６で必要となる優先度について説明す
る。図１０は転送ホップ数に応じて設定する優先度の表であり、図１１はリンク品質に応
じて設定する優先度の表である。このリンク品質は代表的な例として、送信したデータに
対して着信したデータの誤り率を表すエラーレートの場合を示す。これらの表は、無線端
末装置の記憶部であるメモリ１２に優先度管理データ１２ｂとして保持されている。
【００３８】
図１０および図１１に記載の優先度は、その値が０である場合を除いて値が小さいほど
優先度が高く、その値が付加された音声パケットを先に処理することを示している。
【００３９】
自らの無線端末装置から宛先の着信無線端末装置までの転送ホップ数が多い場合や、自
らの無線端末装置から宛先の着信無線端末装置までのリンク品質が低下している場合は、
自らの無線端末装置が送出する音声パケットが十分な音声品質を保持したまま着信無線端
末装置まで着信することが困難である。そのため、自らの無線端末装置が取得したメトリ
ック値の転送ホップ数が多い、またはそのメトリック値のリンク品質が低下している場合
は、高い優先度をその音声パケットに付加することとし、優先度が１と決定された音声パ
ケットは、最も優先されて処理される。
【００４０】
また、この転送ホップ数が非常に多い場合（例えば図１０の転送ホップ数がｎ≧１００
の場合）や、このリンク品質が非常に低下している場合（例えば図１１のエラーレートが
ｎ≧９０の場合）に、自らの無線端末装置が音声パケットを送出しても、その音声パケッ
トを着信した着信無線端末装置がその音声パケットの音声を再生できないか、再生しても
十分な音声品質が得られない。このため、転送ホップ数がある値以上の場合やリンク品質
がある値より劣化した場合は、この音声パケットの送出をしないと判断することとし、優
先度が０の場合は、送出の処理を行わないという指示であると決めることにする。
【００４１】
手順Ｆ２０４の送信処理について図１２を参照して説明する。まず、送信するデータに
図７においてユーザが設定した優先度が付加されているか否かを判別する（Ｆ３０１）。
ユーザが設定した優先度が付加されていない場合は、上記で説明したメトリック値取得部
１１ｄによってメトリック値１２ａを取得する（Ｆ３０２）。この取得したメトリック値
１２ａは、無線端末装置の記憶部であるメモリ１２に記憶される。
【００４２】
取得したメトリック値１２ａに応じて、メモリ１２に記憶されている図１０および図１
１の優先度管理データ１２ｂを参照して優先度を決定し（Ｆ３０３）、その優先度を音声
パケットに付加する（Ｆ３０４）。手順Ｆ３０１でユーザが設定した優先度が付加されて
いない場合および、手順Ｆ３０４の処理後は、手順Ｆ３０５へ進む。次に、メモリ１２に
記憶されているメトリック値１２ａを参照し、メモリ１２に記憶されているメトリック値
１２ａ毎に対応付けて音声パケットの伝送レートを管理する伝送レート管理データ１２ｂ
に基づいて伝送レートを決定し、その音声パケットを決定された伝送レートになるように
圧縮する（Ｆ３０５）。このデータ伝送レート管理データは、優先度管理データとともに
図１０および図１１に示す。次に音声パケットに付加された優先度を判別し（Ｆ３０６）
、その優先度に応じて、優先度が０であれば送信せず、優先度が０以外であれば送信する
順番を制御する（Ｆ３０７）。
【００４３】
次に、手順Ｆ２０６の転送処理について図１３を参照して説明する。まず、転送するデ
ータに付加されている優先度を判別する（Ｆ４０１）。この優先度は、ユーザが設定した
優先度か、送信元の無線端末装置Ｔがメトリック値に応じて付加したもののどちらかであ
る。その優先度に応じて、優先度が０であれば転送せず、優先度が０以外であれば優先度
データの値が小さい音声パケットを優先的に転送するように、転送する順番を制御する（
Ｆ４０８）。
【００４４】
以上のように、音声パケット判別部１１ａを各無線端末装置に設けることで、音声パケ
ットを優先して宛先まで送り届けることができる。さらに、送信元無線端末装置が宛先ま
でのメトリック値を取得し、取得したメトリック値に応じて優先度を音声パケットに付加
することで、転送する無線端末装置での音声パケットの処理を優先度に応じて行うことが
でき、着信する無線端末装置で、十分な品質の音声を取得することができる。
【実施例２】
【００４５】
前記実施例においては送信元無線端末装置で音声パケットに優先度データを付加して転
送無線端末装置まではその優先度を判別して転送の順番を制御するようにした。
【００４６】
しかしながら、転送する無線端末装置は、送信元が音声パケットを送信してからの時間
の経過や無線端末装置Ｔの移動によってメトリック値が変化する。特に、メトリック値が
リンク品質であり、そのリンク品質が低下して転送しても再生できないと判断が可能とな
ることは、単一周波数で通信を行うアドホック無線通信ネットワークにおいて再生不可能
な音声パケットを送出しないことができ、帯域の占有を減少させることができる。
【００４７】
このため実施例２では、図１４に示すように、音声パケットを転送する無線端末装置に
おいて、転送に先立ってメトリック値を取得する（Ｆ５０１）。メトリック値の取得は図
４乃至図６に示した方法と同じで良い。この取得したメトリック値を基づいて優先度を決
定して（Ｆ５０２）、この優先度を音声パケットに付加する（Ｆ５０３）。即ち、送信元
から送信される音声パケットに付加されている優先度に関わらず、転送の時点でメトリッ
ク値を再度取得し、そのメトリック値に基づいて優先度を再設定する。
【００４８】
このようにすることによって、転送時点での優先度に基づいて転送の順番を決定できる
。
【実施例３】
【００４９】
なお、実施例１および実施例２においては経路のメトリック値は、転送ホップ数および
リンク品質で、取得する区間は送信元から宛先まで、または転送元から宛先までの全区間
を対象としていた。このため、メトリック値の取得に時間を要することとなる。
【００５０】
実施例３では、メトリック値がリンク品質であり、取得する区間は転送する音声パケッ
トを有する無線端末装置から音声パケットを受け渡す無線端末装置まで、つまり１区間の
メトリック値を取得する。このメトリック値に基づいて優先度を決定し、転送の順番を制
御する。
【００５１】
以上により、実施例３では、実施例２の効果に加えて、取得するメトリック値の区間を
少なくすることによってメトリック値取得から転送判断までの時間を短縮することができ
、帯域占有時間の更なる短縮および無線端末装置Ｔの処理量の減少による無線端末装置Ｔ
の負荷低減が可能である。
【００５２】
また、上記効果を得るためには、メトリック値を取得する区間は、音声パケットを有す
る無線端末装置から音声パケットを受け渡す無線端末装置までの１区間だけでなく、音声
パケットを有する無線端末装置から、音声パケットの宛先までのうち全区間よりも少ない
任意の区間数のメトリック値を取得しても帯域占有時間の短縮および無線端末装置Ｔの処
理量の減少による無線端末装置Ｔの負荷低減ができる。
【００５３】
なお、本発明は、以上の構成に限定されるものではなく、種々の変形が可能である。
【図面の簡単な説明】
【００５４】
【図１】本発明の一実施例に係るアドホック無線ネットワークの実施の形態を示すシステム図。
【図２】本発明の一実施例に係るアドホック無線ネットワークに使用される無線端末装置の外観図。
【図３】本発明の一実施例に係る無線端末装置の機能構成図。
【図４】本発明の一実施例に係るメトリック値を取得する手段を示すブロック図。
【図５】本発明の一実施例に係るメトリック値を取得する手順のシーケンス図。
【図６】本発明の一実施例に係るテストパケットの構成図。
【図７】本発明の一実施例に係る音声パケットデータの構成図。
【図８】本発明の一実施例である音声データのパケット化の処理手順を示すフローチャート。
【図９】本発明の一実施例に係る音声パケットの処理手順を示すフローチャート。
【図１０】本発明の一実施例に係る転送ホップ数ごとの優先度および音声パケット上限サイズの設定表。
【図１１】本発明の一実施例に係るエラーレートごとの優先度および音声パケット上限サイズの設定表。
【図１２】本発明の一実施例に係る音声パケットの送信制御の処理手順を示すフローチャート。
【図１３】本発明の一実施例に係る音声パケットの転送制御の処理手順を示す。フローチャート。
【図１４】本発明の一実施例に係る音声パケットの転送制御の処理手順を示すフローチャート。
【符号の説明】
【００５５】
Ｔ、Ｔ１、Ｔ２、Ｔ３、Ｔ４、Ｔ５、Ｔ６、Ｔａ、Ｔｂ、Ｔｃ、Ｔｄ、Ｔｅ…無線端末装
置、１…アンテナ、２…スピーカ、３…表示部、４…入力ボタン、５…送話口、１０…イ
ンターフェース、１０ａ…送出部、１０ｂ…着信部、１０ｃ…入力部、１０ｄ…出力部、
１１…ＣＰＵ、１１ａ…音声パケット判別部、１１ｂ…音声パケット優先処理部、１１ｃ
…優先度判別部、１１ｄ…メトリック値取得部、１１ｅ…優先度決定部、１１ｆ…上限音
声パケットサイズ決定部、１１ｇ…圧縮処理部、１１ｈ…宛先指定部、１１ｉ…データパ
ケット生成部、１２…メモリ、ＤＰ…データパケット、Ｄ１…ＭＡＣヘッダ、Ｄ２…ＩＰ
ヘッダ、Ｄ３…ＵＤＰヘッダ、Ｄ４…ＲＴＰヘッダ、Ｄ４１…音声パケットであることを
示す情報、Ｄ４２…データ圧縮方式情報、Ｄ４３…優先度情報、Ｄ５…データ
【図１】
2009105750.tif 000003
【図２】
2009105750.tif 000004
【図３】
2009105750.tif 000005
【図４】
2009105750.tif 000006
【図５】
2009105750.tif 000007
【図６】
2009105750.tif 000008
【図７】
2009105750.tif 000009
【図８】
2009105750.tif 000010
【図９】
2009105750.tif 000011
【図１０】
2009105750.tif 000012
【図１１】
2009105750.tif 000013
【図１２】
2009105750.tif 000014
【図１３】
2009105750.tif 000015
【図１４】
2009105750.tif 000016